(57)【要約】【課題】ベッドの差込式サイドレールにおいて、ヘッドボードとの間に、身体が挟まれる危険性がある隙間を生じないようにすると共に、がたつきを軽減することを目的とする。【解決手段】本発明では、サイドレール本体５の下側に支持棒体４を突設すると共に、ベッド１側に支持棒体４を差し込んで支持する差込支持部９を設け、サイドレール本体の横側部にはベッドのボード（ヘッドボード）２方向に伸長部６を設け、ボードと伸長部を係合可能に構成したベッドの差込式サイドレール装置を提案する。【選択図】図２
2010069057.tif 000002
【特許請求の範囲】
【請求項１】
サイドレール本体の下側に支持棒体を突設すると共に、ベッド側に支持棒体を差し込んで支持する差込支持部を設け、サイドレール本体の横側部にはベッドのボード方向に伸長部を設け、ボードと伸長部を係合可能に構成したことを特徴とするベッドの差込式サイドレール装置。
【請求項２】
伸長部はサイドレール本体の側辺に構成し、サイドレール本体に対して伸縮可能に支持すると共に、伸長部の側辺と、それに対向するボードの側辺を係合可能に構成したことを特徴とする請求項１に記載のベッドの差込式サイドレール装置。
【請求項３】
サイドレール本体の横方向に案内支持棒を突設し、伸長部を案内支持棒に沿って横方向に移動可能に構成したことを特徴とする請求項２に記載のベッドの差込式サイドレール装置。
【請求項４】
伸長部とサイドレール本体間を蛇腹で接合したことを特徴とする請求項２に記載のベッドの差込式サイドレール装置。
【請求項５】
伸長部の側辺と、対向するボードの側辺を傾斜させた構成としたことを特徴とする請求項２〜４までのいずれか１項に記載のベッドの差込式サイドレール装置。
【請求項６】
伸長部をサイドレール本体の上辺に構成したことを特徴とする請求項１に記載のベッドの差込式サイドレール装置。
【請求項７】
伸長部をサイドレール本体に対して伸縮可能に構成したことを特徴とする請求項６に記載のベッドの差込式サイドレール装置。
【発明の詳細な説明】
【技術分野】
【０００１】
本発明は、ベッドの差込式サイドレールに関し、特にヘッドボードとの間に、身体が挟まれる危険性がある隙間を生じないようにすると共に、がたつきを軽減することができる差込式サイドレール装置に関するものである。
【背景技術】
【０００２】
医療施設や在宅看護の場で使用するベッドのサイドレールとしては各種方式のものが従来から提供されているが、このうち、サイドレール本体の下側に支持棒体を突設し、この支持棒体をベッド側に設けた差込支持部に差し込んで支持する方式の差込式サイドレールは、構成が複雑でなく、扱いやすいため、広く使用されている。
【０００３】
ところが、差込式サイドレールでは、一般に、その周辺等に隙間が生じるため、ベッド使用者の身体能力によっては、隙間に身体の一部が挟まれてしまうことがある。特に、サイドレールとヘッドボードとの間に生じる隙間は、頭側に存在するため重大事故につながる恐れが高い。
【０００４】
また差込式サイドレールは、下側に突設した支持棒体をベッド側に設けた差込支持部に差し込んで支持するという構成であることから、がたつきが必ず存在し、がたつきによって上述した隙間が広がることにより危険性がより高くなる場合がある。
【０００５】
差込式サイドレールによる隙間に対する従来技術として、例えば、特許文献１や特許文献２では、サイドレール本体の横側に伸縮可能な伸長部を構成して、この伸長部を、ボードとの距離に応じてサイドレール本体から伸長させることにより隙間を小さくしている。
【０００６】
また特許文献３では、サイドレールの側部とヘッドボードとの間の隙間の大きさに応じて、サイドレールの側部にカバーを固定することにより隙間を小さくしている。
【０００７】
一方、他の方式のサイドレールを示す従来技術として、特許文献４や特許文献５では、ベッドのヘッドボードとフットボード間に上部横桟部材と下部横桟部材を設け、下部横桟部材はベッド本体に固定し、上部横桟部材を昇降可能に支持すると共に、これらの上部横桟部材と下部横桟部材間に、スクリーン部材や伸縮支柱等の変形可能な部材を設けた全面柵方式のサイドレールがあり、これらの方式のサイドレールでは、上記隙間やがたつきは生じないが、不使用時に容易に取り外すことはできず、利便性が悪く、また複雑な機構が必要となる。
【特許文献１】特開２００６−２０４７４３号公報
【特許文献２】特開平８−２４３１２７号公報
【特許文献３】特開２００５−１６０５８３号公報
【特許文献４】特開２０００−５１２８４号公報
【特許文献５】特開２０００−１２６２４９号公報
【発明の開示】
【発明が解決しようとする課題】
【０００８】
特許文献１や特許文献２に示されるように、サイドレール本体の横側に伸縮可能な伸長部を構成して、この伸長部を、ボードとの距離に応じてサイドレール本体から伸縮させて調節可能とした構成や、特許文献３に示されるように、サイドレールの側部とヘッドボードとの間の隙間の大きさに応じて、サイドレールの側部にカバーを固定した構成、即ち、サイドレールの全幅を調節可能とする構成では、隙間を非常に小さく調節することもできるが、がたつきの問題は解消されておらず、隙間を小さく調節しても、がたつきにより広がって危険となる恐れがある。即ち、以上の特許文献に示されるような差込式サイドレールの構成では、ボードとの隙間を完全に無くすことはできない。
【０００９】
また上述したように、特許文献４や特許文献５に示されるような全面柵方式のサイドレールでは、上記隙間やがたつきは生じないが、不使用時に容易に取り外すことはできず、利便性が悪く、また複雑な機構が必要となる。
本発明は、以上の点に鑑みて創案されたもので、即ち、ベッドの差込式サイドレールにおいて、ボード、特に、ヘッドボードとの間に、身体が挟まれる危険性がある隙間を生じないようにすると共に、がたつきを軽減することができる差込式サイドレール装置を提供することを目的とするものである。
【課題を解決するための手段】
【００１０】
上述した課題を解決するために、本発明では、サイドレール本体の下側に支持棒体を突設すると共に、ベッド側に支持棒体を差し込んで支持する差込支持部を設け、サイドレール本体の横側部にはベッドのボード方向に伸長部を設け、ボードと伸長部を係合可能に構成したベッドの差込式サイドレール装置を提案する。
【００１１】
また本発明では、上記の構成において、伸長部はサイドレール本体の側辺に構成し、サイドレール本体に対して伸縮可能に支持すると共に、伸長部の側辺と、それに対向するボードの側辺を係合可能に構成したベッドの差込式サイドレール装置を提案する。
【００１２】
また本発明では、上記の構成において、サイドレール本体の横方向に案内支持棒を突設し、伸長部を案内支持棒に沿って横方向に移動可能に構成したベッドの差込式サイドレール装置を提案する。
【００１３】
また本発明では、上記の構成において、伸長部とサイドレール本体間を蛇腹で接合したベッドの差込式サイドレール装置を提案する。
【００１４】
また本発明では、以上の構成において、伸長部の側辺と、対向するボードの側辺を傾斜させた構成としたベッドの差込式サイドレール装置を提案する。
【００１５】
また本発明では、以上の構成において、伸長部はサイドレール本体の上辺に構成したベッドの差込式サイドレール装置と、この構成において、伸長部をサイドレール本体に対して伸縮可能に構成したベッドの差込式サイドレール装置を提案する。
【発明の効果】
【００１６】
本発明の差込式サイドレール装置、特に伸長部を、サイドレール本体の側辺に構成し、伸長部の側辺と、それに対向するボードの側辺を係合可能に構成した構成においては、伸長部をサイドレール本体側に移動して全幅を短縮した状態において、サイドレール本体に突設した支持棒体をベッド側に設けた差込支持部に差し込んで支持した後、ベッドのボードとの距離に応じて伸長部をサイドレール本体側から伸長し、ボードに当接して係合する。
【００１７】
このように本発明の差込式サイドレール装置では、伸長部がサイドレール本体側から伸長し、ボードに当接して係合するため、隙間がなくなり、また係合しているボードによりがたつき、特にサイドレールの長さ方向に直交する水平方向のがたつきが低減される。
【００１８】
また本発明の差込式サイドレール装置では、サイドレール本体に対しての伸長部の伸縮により、全幅を調節可能であるので、ボードと差込支持部との相対的位置関係が異なるベッドに対しても使用が可能である。
【００１９】
伸長部をサイドレール本体に対して伸縮可能とする機構は、サイドレール本体の横方向に案内支持棒を突設し、伸長部を案内支持棒に沿って横方向に移動可能とした機構や、伸長部とサイドレール本体間を蛇腹で接合した機構を適用することができる。
【００２０】
伸長部の側辺と、対向するボードの側辺を傾斜させた構成とすれば、係合長が長くなると共に、サイドレールの長さ方向に直交する水平方向に加えて上下方向のがたつきも低減することができる。
【００２１】
一方、伸長部の側辺と、対向するボードの側辺を直立させた構成とした場合には、伸長部をサイドレール本体に対して適宜に伸長させて、サイドレールの全幅を適切に調節した状態において、支持棒体の差込支持部への差込と同時に、伸長部の側辺と、対向するボードとの係合を行うことができる。
【００２２】
本発明の差込式サイドレール装置では、伸長部は、上述したようにサイドレール本体の側辺でなく、サイドレール本体の上辺に構成することができる。この構成においても、差込式サイドレールとボードの隙間の上側の開口が伸長部により遮断されるため、隙間の上部から身体の一部が挟まってしまうという危険性がなくなり、また係合しているボードにより、がたつき、特にサイドレールの長さ方向に直交する水平方向のがたつきが低減される。
【００２３】
伸長部は、サイドレール本体からの突出長が一定の固定式としても良いが、サイドレール本体に対して伸縮可能として突出長を調節可能とすれば、ボードと差込支持部との相対的位置関係が異なるベッドに対しても使用が可能である。
【発明を実施するための最良の形態】
【００２４】
次に本発明のベッドの差込式サイドレール装置の実施の形態を添付図面を参照して説明する。
まず図１〜図３は本発明を適用した差込式サイドレール装置の第１の実施の形態を示す斜視図であり、詳細な構成は省略して、概念的に示している。
図において、符号１はベッド、２はそのヘッドボードであり、３はサイドレールを示すものである。サイドレール３は、下側に支持棒体４を突設したサイドレール本体５の横側の側辺に、ベッド１のボード、この場合、ヘッドボード２の方向に伸長部６を設けている。この伸長部６はサイドレール本体５の横方向に突設した案内支持棒７に沿って横方向に移動可能に構成している。また伸長部６とヘッドボード２の側辺は、サイドレール３の全幅が下側で大きくなるように傾斜しており、この傾斜に対応して、サイドレール本体５の側辺も傾斜している。
【００２５】
このサイドレール３の伸長部６の傾斜した側辺に対応して、ヘッドボード２の側辺がサイドレール３側に突出しており、これらの側辺には、対応する係合部８ａ，８ｂが形成されている。即ち、この実施の形態においては、伸長部６の側辺の係合部８ａは凸面に形成されており、またヘッドボード２の係合部８ｂは凸面の係合部８ａを受ける凹面に形成されており、これらの凹面と凸面により係合がなされる構成とされている。これらの係合部８ａ，８ｂの凹面と凸面は逆側に構成することができる。一方、ベッド１には、上記支持棒体４を差し込んで支持する差込支持部９を設けている。差込支持部９は周知のとおり、図に示すようなベッド１の側部フレーム１０に形成したり、後述するように側部フレーム１０に設けた付属品受け等に形成することができる。
【００２６】
以上の構成においては、図１に示すように、伸長部６をサイドレール本体５側に移動して全幅を短縮した状態において、サイドレール本体５に突設した支持棒体４をベッド１側に設けた差込支持部９に差し込んで支持した後、図２に示すように、伸長部６をサイドレール本体５側から伸長して、その係合支持部８ａをヘッドボード２の係合支持部８ｂに当接して係合する。この係合状態において、図示は省略している固定手段により、伸長部６をヘッドボード２の側辺に固定することにより、使用状態とすることができる。
【００２７】
このように本発明の差込式サイドレール装置では、伸長部６がサイドレール本体５側から伸長し、ヘッドボード２に当接して係合するため、隙間がなくなり、また係合支持部８ａ，８ｂの係合により、伸長部６はサイドレール３の長さ方向に直交する水平方向の移動が阻止されるため、サイドレール３のがたつきが低減される。
【００２８】
またこの実施の形態では、係合支持部８ａ，８ｂが形成されている伸長部６の側辺と、対向するヘッドボード２の側辺が傾斜しているので、係合長が長くなると共に、サイドレール３の上下方向のがたつきも低減することができる。
【００２９】
更に本発明の差込式サイドレール装置では、サイドレール本体５に対しての伸長部６の伸縮により、サイドレール３の全幅を調節可能であるので、図３に示すように、ヘッドボード２と差込支持部９との相対的位置関係が異なるベッドに対しても使用が可能である。
【００３０】
次に図４〜図６は、本発明を適用した差込式サイドレール装置の第２の実施の形態を示す斜視図であり、詳細な構成は省略して、概念的に示している。
この実施の形態は、伸長部６の側辺と、対向するヘッドボード２の側辺を直立させた構成とした以外は、第１の実施の形態と同様であるので、対応する構成要素に同一の符号を付して重複する説明は省略する。
この第２の実施の形態では、ヘッドボード２と差込支持部９との相対的位置関係が比較的広い場合には、第１の実施の形態と同様に、図４に示すように、伸長部６をサイドレール本体５側に移動して全幅を短縮した状態において、サイドレール本体５に突設した支持棒体４をベッド１側に設けた差込支持部９に差し込んで支持した後、図５に示すように、伸長部６をサイドレール本体５側から伸長して、その係合支持部８ａをヘッドボード２の係合支持部８ｂに当接して係合することで、使用状態とすることができる。
【００３１】
しかしながらこの第２の実施の形態では、ヘッドボード２と差込支持部９との相対的位置関係が狭いものに対応して、伸長部６を短縮させた状態のサイドレール３の全幅を一致させることにより、図６に示すように伸長部６とサイドレール本体５間の隙間が全くない状態で使用することもできる。
【００３２】
更に、この第２の実施の形態では、伸長部６をサイドレール本体５に対して適宜に伸長させて、サイドレール３の全幅を使用するベッドに対して適切に調節しておくことにより、サイドレール３の支持棒体４の差込支持部５への差込と同時に、伸長部６の側辺と、対向するヘッドボード２との係合を行うことができる。
【００３３】
次に図７、図８は、本発明を適用した差込式サイドレール装置の第３の実施の形態を示す斜視図であり、詳細な構成は省略して、概念的に示している。
この第３の実施の形態では、伸長部６は、蛇腹１１を介してサイドレール本体５に接合することにより伸縮可能に構成すると共に、係合支持部８ａ，８ｂには、係合状態を保持するための保持手段を設ける。例えばこの保持手段は、磁石と、磁石又は強磁性体とから構成する他、適宜の締結具等を使用することができる。また差込支持部９は側部フレーム等に支持した付属品受け１２に設けている。
【００３４】
この実施の形態においては、図７に示すように伸長部６をサイドレール本体５側に移動して全幅を短縮した状態において、サイドレール本体５に突設した支持棒体４をベッド１側に設けた差込支持部９に差し込んで支持した後、図８に示すように、伸長部６をサイドレール本体５側から伸長して、その係合支持部８ａをヘッドボード２の係合支持部８ｂに当接して係合し、保持手段で保持することで、使用状態とすることができる。上述したとおり、保持手段は、係合支持部８ａ，８ｂを、磁石と、磁石又は強磁性体とから構成すれば、係合と、その状態における固定を同時に行うことができるが、更に固定を確実に行うために締結具等の保持手段を設けても良い。
【００３５】
この第３の実施の形態においても、伸長部６がサイドレール本体５側から伸長し、ヘッドボード２に当接して係合するため、隙間がなくなり、また係合支持部８ａ，８ｂの係合により、伸長部６はサイドレール３の長さ方向に直交する水平方向の移動が阻止されるため、蛇腹１１を介してサイドレール本体５のがたつきが低減される。
【００３６】
この第３の実施の形態では、伸長部６を伸縮可能とする手段として、蛇腹１１を用いているため、図７、図８に示すように、ヘッドボード２との隙間と、それ自体の隙間が全くないサイドレール３を構成することができる。
【００３７】
また第１、第２の実施の形態と同様に、サイドレール本体５に対しての伸長部６の伸縮により、全幅を調節可能であるので、ヘッドボード２と差込支持部９との相対的位置関係が異なるベッド１に対しても使用が可能である。
【００３８】
次に図９、図１０は、本発明を適用した差込式サイドレール装置の第４の実施の形態を示す斜視図であり、詳細な構成は省略して、概念的に示している。
この第４の実施の形態では、伸長部６は、第１〜第３の実施の形態のように、サイドレール本体５の側辺に対応して設けるのではなく、サイドレール本体５の上辺にのみ構成している。即ち、この第４の実施の形態においては、伸長部６は、開口が下側に向いた溝型形状の構成で、サイドレール本体５の長さ方向、即ち横方向に対しての進退により伸縮可能に構成されている。一方、この溝型形状の伸長部６に対応して、ヘッドボード２の側辺がサイドレール３側に突出しており、その上部が伸長部６の溝型に係合する構成としている。即ち、伸長部６の溝型部が係合支持部８ａを構成し、ヘッドボード２の側辺の突出部が係合支持部８ｂを構成している。また差込支持部９は側部フレーム等に支持した付属品受け１２に設けている。勿論、差込支持部９は側部フレーム自体に設けることができる。
【００３９】
尚、伸長部６は伸長させた状態においてヘッドボード２と係合可能であれば、溝型形状でなくとも良く、帯板や棒体等により構成することもできる。
【００４０】
以上の構成において、この実施の形態では、伸長部６は、上述したようにサイドレール本体５の側辺でなく、その上辺にのみ構成されているが、この構成においても、サイドレール３とヘッドボード２間の隙間の上側の開口が、ヘッドボード２と係合している伸長部６により遮断されるため、隙間の上部から身体の一部が挟まってしまうという危険性がなくなり、また係合しているヘッドボード２に支持されることにより、がたつき、特にサイドレール３の長さ方向に直交する水平方向のがたつきが低減される。
【００４１】
伸長部６は、この実施の形態に示すようにサイドレール本体５に対して伸縮可能として突出長を調節可能とすれば、ヘッドボード２と差込支持部９との相対的位置関係が異なるベッド１に対しても使用が可能となるが、対象とするヘッド１にのみ使用する場合には、伸長部６は、第５の実施の形態に対応する図１１に示すように、サイドレール本体からの突出長が一定の固定式としても良い。
【００４２】
尚、以上の説明では、本発明の差込式サイドレール装置は、ヘッドボードに対応して構成しているが、フットボードに対応して構成することもできることは百道論である。
【産業上の利用可能性】
【００４３】
本発明は以上の通りであるので、ボード、特に、ヘッドボードとの間に、身体が挟まれる危険性がある隙間を生じないようにすると共に、がたつきを軽減することができる差込式サイドレール装置を提供することができる。
【図面の簡単な説明】
【００４４】
【図１】本発明の差込式サイドレール装置の第１の実施の形態を概念的に示す斜視図である。
【図２】本発明の差込式サイドレール装置の第１の実施の形態を使用状態において概念的に示す斜視図である。
【図３】本発明の差込式サイドレール装置の第１の実施の形態を他の使用状態において概念的に示す斜視図である。
【図４】本発明の差込式サイドレール装置の第２の実施の形態を概念的に示す斜視図である。
【図５】本発明の差込式サイドレール装置の第２の実施の形態を使用状態において概念的に示す斜視図である。
【図６】本発明の差込式サイドレール装置の第２の実施の形態を他の使用状態において概念的に示す斜視図である。
【図７】本発明の差込式サイドレール装置の第３の実施の形態を概念的に示す斜視図である。
【図８】本発明の差込式サイドレール装置の第３の実施の形態を使用状態において概念的に示す斜視図である。
【図９】本発明の差込式サイドレール装置の第４の実施の形態を概念的に示す斜視図である。
【図１０】本発明の差込式サイドレール装置の第４の実施の形態を使用状態において概念的に示す斜視図である。
【図１１】本発明の差込式サイドレール装置の第５の実施の形態を使用状態において概念的に示す斜視図である。
【符号の説明】
【００４５】
１                ベッド
２                ヘッドボード
３                サイドレール
４                支持棒体
５                サイドレール本体
６                伸長部
７                案内支持棒
８ａ              係合支持部（凸面）
８ｂ              係合支持部（凹面）
９                差込支持部
１０              側部フレーム
１１              蛇腹
１２              付属品受け
【図１】
2010069057.tif 000003
【図２】
2010069057.tif 000004
【図３】
2010069057.tif 000005
【図４】
2010069057.tif 000006
【図５】
2010069057.tif 000007
【図６】
2010069057.tif 000008
【図７】
2010069057.tif 000009
【図８】
2010069057.tif 000010
【図９】
2010069057.tif 000011
【図１０】
2010069057.tif 000012
【図１１】
2010069057.tif 000013